(57)【特許請求の範囲】
【請求項１】
ドアの室内側面に取付けられるラッチ支持体１０と、
このラッチ支持体１０に支持され、ドアの左右方向にスライド可能なラッチ３０と、
ドアの室外側面に取り付けられる表示板支持体２０と、
この表示板支持体２０に正逆回転可能に支持され、その使用表示部５１と不使用表示部５２とを切り替え表示する表示板５０と、
この表示板５０の回転角度を前記使用表示部５１と不使用表示部５２との表示切り替え角度に規制する角度規制機構と、
前記ラッチ支持体１０と表示板支持体２０の間に配置され、前記ラッチ３０のスライドに連動して正逆回転する連結軸４０と、
前記連結軸４０と表示板５０との間に形成され、連結軸４０の回転角度が前記表示切り替え角度内であるとき表示板５０を連結軸４０に連動して正逆回転させ、連結軸４０の回転角度が前記表示切り替え角度を超えると表示板５０と連結軸４０との連動を断つクラッチと、を備えるスライドラッチ錠において、
前記表示切り替え角度内でクラッチが断たれたときに、連結軸４０に連動して表示板５０を正逆回転させる補助回転機構として、
前記表示板５０の裏面から突出する受け部５６と、
前記連結軸４０の室外側端面から連結軸径方向に張り出し、前記連結軸４０の回転時に前記表示板裏面の受け部５６に係合または当接してこれを押すことで表示板５０を連結軸４０に連動して正逆回転させる回転伝達部４２ｃと、を設けたスライドラッチ錠。
【請求項２】
前記受け部５６は、前記表示板５０の前記使用表示部５１と不使用表示部５２の境界のほぼ真裏に形成されており、
前記連結軸の室外側端面の全周には、それぞれほぼ半円状の大径部と小径部よりなるフランジ４２ｂが設けられ、その大径部と小径部との境界が前記回転伝達部４２ｃとしてのツメとして形成されており、
前記連結軸４０の回転角度が前記表示切り替え角度を超えると、前記受け部５６に前記回転伝達部４２ｃとしてのツメが係合する、請求項１に記載のスライドラッチ錠。
【請求項３】
前記クラッチが、
軸方向に移動可能な前記連結軸を表示板に向けて付勢する弾性部材６０と、
前記表示板５０の裏面に形成された表示板側かみ合い部と、
前記連結軸４０の室外側端面に形成され、前記表示板側かみ合い部とかみ合い可能な連結軸側かみ合い部と、から構成される請求項１または２に記載のスライドラッチ錠。
【請求項４】
前記連結軸側かみ合い部が、連結軸４０の表示板支持体２０側の端面上に設けられた凸部４２ｅであり、
前記表示板側かみ合い部が、表示板５０の裏面上に設けられ、前記連結軸４０の凸部４２ｅがはまり込み可能な凹部５４である請求項３に記載のスライドラッチ錠。
【請求項５】
前記角度規制機構が、
前記表示板５０の裏面から突出する突出部５６と、
前記表示板支持体２０の表示板裏面との対向面に設けられ、前記連結軸４０の回転角度が前記表示切り替え角度を超えると前記突出部５６に当接するストッパ２３と、から構成される請求項１から４のいずれかに記載のスライドラッチ錠。
【発明の詳細な説明】
【技術分野】
【０００１】
この発明は、ドアを施錠開錠するスライドラッチ錠に関する。
【背景技術】
【０００２】
便所の個室などの室内外を仕切る壁パネルに付属したドアを施錠開錠するためのスライドラッチ錠は、ドアの室内側面に取り付けられたラッチ支持体に支持されたラッチを、ドアの左右方向にスライド操作し、このラッチの先端部を、ドアが取り付けられた壁パネルの室内側面の側に係合させることで、ドアを閉鎖した状態で施錠するしくみとなっている。
【０００３】
このようなスライドラッチ錠として、ラッチのスライドに連動して回転する連結軸を介して、ドアの室外側面に取り付けられた表示板支持体に支持された表示板を正逆回転させ、その表面に設けられた使用表示部と不使用表示部とを切り換え表示することで、室内の使用状態と不使用状態を室外から判別可能としたものがある。
【０００４】
ところで、この種の表示機能を備えるスライドラッチ錠においては、ラッチの施錠位置と開錠位置との間のスライドによるストローク量が大きいため、ラッチを施錠位置から開錠位置まで移動させると連結軸および表示板が数回転し、表示板の使用表示部および不使用表示部が何度も繰り返して切り替え表示されることになる。
【０００５】
したがって、ラッチのスライド操作が中途半端であると、室内が使用中にもかかわらず不使用表示部が表示されたり、あるいは、不使用であるにもかかわらず使用表示部が表示されたりし、使用状態、不使用状態の判別がつかないことがあった。
【０００６】
前記のような不都合を解消するため、特許文献１には、連結軸と表示板との間にクラッチを形成し、このクラッチによって、表示板をその不使用表示部と使用表示部との表示切り替え角度（表示板が一方向に回転する場合に不使用表示部と使用表示部とが一回だけ切り替わる角度）内で連結軸に連動して回転させ、表示切り替え角度を超える表示板の連結軸との連動を断つように構成したものが開示されている。
【０００７】
このように構成すると、ラッチのスライドが中途半端であっても、使用中表示部と不使用表示部とが繰り返し切り替え表示されることがないため、室内の使用状態と不使用状態を明確に判別することが可能である。
【特許文献１】特開２００５−３６５７５号公報
【発明の開示】
【発明が解決しようとする課題】
【０００８】
しかし、特許文献１のスライドラッチ錠を取り付けたドアに外部から衝撃がかかって連結軸と表示板のドアへの組み込み位置にずれが生じるなどすると、前記切り替え表示角度内でもクラッチが断たれて表示板が回転しなくなることがあった。
このようにクラッチが故障して表示板がうまく回転しないと、上述した表示板が数回転する従来の例と同様にドアの室内の使用状態、不使用状態が判別できなくなってしまう。
【０００９】
そこで、この発明の解決すべき課題は、クラッチが故障した場合にも、連結軸の回転動力を表示板に伝達できるようにすることである。
【課題を解決するための手段】
【００１０】
上記課題を解決するために、ドアの室内側面に取付けられるラッチ支持体と、このラッチ支持体に支持され、ドアの左右方向にスライド可能なラッチと、ドアの室外側面に取り付けられる表示板支持体と、この表示板支持体に正逆回転可能に支持され、その使用表示部と不使用表示部とを切り替え表示する表示板と、この表示板の回転角度を前記使用表示部と不使用表示部との表示切り替え角度に規制する角度規制機構と、前記ラッチ支持体と表示板支持体の間に配置され、前記ラッチのスライドに連動して正逆回転する連結軸と、前記連結軸と表示板との間に形成され、連結軸の回転角度が前記表示切り替え角度内であるとき表示板を連結軸に連動して正逆回転させ、連結軸の回転角度が前記表示切り替え角度を超えると表示板と連結軸との連動を断つクラッチと、を備えるスライドラッチ錠において、以下の構成を採用したのである。
【００１１】
すなわち、前記表示切り替え角度内でクラッチが断たれたときに、連結軸に連動して表示板を正逆回転させる補助回転機構をさらに備えることとしたのである。
このように構成すると、クラッチが故障した場合にも、表示板は補助回転機構により正逆回転させられるため、その使用表示部と不使用表示部を切り替え表示することが可能となる。
【００１２】
さらに前記補助回転機構は、前記表示板裏面から突出する受け部と、前記連結軸の室外側端面から連結軸径方向に張り出し、前記表示板裏面の受け部を押すことで表示板を連結軸に連動して正逆回転させる回転伝達部と、から構成されるのが好ましい。
【００１３】
さらに前記クラッチは、軸方向に移動可能な前記連結軸を表示板に向けて付勢する弾性部材と、前記表示板の裏面に形成された表示板側かみ合い部と、前記連結軸の室外側端面に形成され、前記表示板側かみ合い部とかみ合い可能な表示板側かみ合い部と、から構成されるのが好ましい。
【００１４】
この場合において、前記連結軸側かみ合い部は、連結軸の表示板支持体側の端面上に設けられた凸部であり、前記表示板側かみ合い部が、表示板の裏面上に設けられ、前記連結軸の凸部がはまり込み可能な凹部であるのがより好ましい。
【００１５】
前記角度規制機構は、前記表示板の裏面から突出する突出部と、前記表示板支持体の表示板裏面との対向面に設けられ、前記連結軸の回転角度が前記表示切り替え角度を超えると前記突出部に当接するストッパと、から構成されるのが好ましい。
【発明の効果】
【００１６】
表示板の回転角度が表示切り替え角度内であるにもかかわらずクラッチが断たれた場合に、表示板を連結軸に連動して回転させる補助回転機構を設けたので、クラッチが故障しても、ドアが設けられた室内の使用、不使用が判別できるようになる。
【発明を実施するための最良の形態】
【００１７】
図１から図６に示すように、この発明のスライドラッチ錠１は、個室の室内外を仕切る壁パネルＰのドアＤの内側面の戸先寄りに取付けられるラッチ支持体１０と、ドアＤの外側面の戸先寄りに取付けられる表示板支持体２０とを有し、両支持体はドアＤを挟んで着脱自在に連結されている。
【００１８】
図示のように、この連結は、ラッチ支持体１０を表裏に貫通する貫通孔に差し込まれたボルト１１を、表示板支持体２０に設けられたねじ筒２１に、ねじ合わせることによる。
ラッチ支持体１０は左右方向に細長く、図４のように、その上下面には左右両端に至る案内溝１２が設けられている。
【００１９】
ラッチ支持体１０には左右方向に細長いラッチ３０が支持されている。
ラッチ３０はラッチ本体３１と、ラッチ本体３１を覆うラッチカバー３２とからなる。
ラッチカバー３２は、ラッチ支持体１０は断面コの字型をなして表面および上下面の前側部を覆い、その上下板の側縁には前記案内溝１２にスライド自在に嵌合されるように内向きに延びる係合片３２ａが設けられ、上下の係合片３２ａ間に嵌合部３２ｂが形成されている。
ラッチ本体３１は、その左右方向に細長い長孔３１ａを有し、この長孔３１ａの上縁にはラック３１ｂが形成され、また、長孔３１ａの左右両外側のラッチ本体表面側には、スプリングが装填された押圧部３１ｃが形成され、一方押圧部３１ｃの裏側には同じスプリングに付勢された突片３１ｄが形成されている。
ラッチ本体３１は、ラッチカバー３２の端面から差し込まれると、押圧部３１ｃがスプリングが圧縮されることでラッチカバー３２の裏面を押圧するとともに、突片３１ｄが上下の係合片３２ａ間に設けられた嵌合部３２ｂにはまり込むことで、ラッチカバー３２内に固定される。
【００２０】
上記ラッチ３０は前記案内溝１２に沿って左右方向にスライドであって、図１のように、ドアＤが取り付けられた壁パネルＰの内側面に先端部が位置までスライドさせると、ドアＤが施錠されるようになっている。
【００２１】
また、ラッチ支持体１０と表示板支持体２０の間には連結軸４０が設けられている。
この連結軸４０は、ラッチ支持体１０に回転自在に支持された原動軸４１と、表示板支持体２０に回転自在に支持された従動軸４２とからなり、前記原動軸４１に角軸部４１ａが設けられ、この角軸部４１ａが従動軸４２に形成された角孔に抜き差し自在に挿入されている。
このように従動軸４２は原動軸４１に対して挿し込まれているだけであるため、軸方向に移動可能となっている。
【００２２】
原動軸４１のラッチ支持体１０側の端部にはスプリングを介してピニオン４３が取付けられ、このピニオン４３は前記ラッチ３０の長孔３１ａに形成されたラック３１ｂに噛み合っている。
したがって、ラッチ３０を左右方向にスライドさせると、連結軸４０が連動して正逆回転するようになっている。
【００２３】
一方、図７および図８のように、従動軸４２の表示板支持体２０側の端部の縁には、軸径方向に張り出すフランジ４２ｂが形成されている。
フランジ４２ｂは、略半円状の大径部と小径部とからなり、その境界は回転伝達部としてのツメ４２ｃを構成している。
また、従動軸４２の表示板支持体２０側の端部の中央には、円柱形に突出して先端にドライバ溝を有する緊急開錠部４２ｄが設けられている。
さらに、従動軸４２の表示板支持体２０側の端部の緊急開錠部４２ｄの周面には、緊急開錠部４２ｄの径方向に並列する２つの凸部４２ｅが連設されている。
【００２４】
表示板支持体２０は、その表面に円柱形に凹んだ収納部２２を形成し、この収納部２２の底の下半部には、半円弧状に突出するストッパ２３が設けられている。
また、収納部２２の底の中央には軸孔２４が設けられて従動軸４２が挿通しており、従動軸４２の表示板支持体２０側の端部はこの収納部２２に格納されている。
【００２５】
さらに収納部２２内には、従動軸４２の表示板支持体２０側の端部と対向するようにして表示板５０が回転可能に格納されている。
円板形の表示板５０の表面には、半円状の使用表示部５１と、半円状の不使用表示部５２とが設けられている。
使用表示部５１はたとえば赤色のシールを貼付することで形成され、不使用表示部５２はたとえば青色のシールを貼付することで形成される。
【００２６】
また、表示板５０の中央には円窓５３が設けられており、表示板５０の裏面のこの円窓５３の周縁は円筒形に突出し、この突出した部分の端面には円窓５３を中心に放射状に並ぶ角穴状の凹部５４が形成されている。
同心円上に並列する凹部５４の周方向に対向する側面は、凹部５４がその開口に向けて広がるようにテーパ状に形成されている。
さらに表示板５０の裏面の周縁には、円筒形のガイド５５が連設され、前記ガイド５５の内周には突出部（受け部）５６が連設されている。
この突出部（受け部）５６は、表示板５０の使用表示部５１と不使用表示部５２の境界のほぼ真裏となるように配置されている。
また、表示板５０のガイド５５の外径は、表示板支持体２０の収納部２２の内径とほぼ等しいため、ガイド５５は収納部２２にほぼ過不足なくはまり込む。
【００２７】
また、表示板支持体２０には、その表面から表示カバー２５が被せられ取り付けられており、この表示カバー２５の下部には板状の引手２６が設けられている。
さらに、この表示カバー２５の中央部には扇型の表示窓２７が設けられており、表示板５０が回転すると、その使用表示部５１と不使用表示部５２がこの表示窓２７を通して室外側に切り替え表示されるようになっている。
【００２８】
また表示板支持体２０の収納部２２の底と、収納部２２に収納された従動軸４２のフランジ４２ｂとの間にはコイルスプリング６０が装填され、これにより、軸方向に移動可能な従動軸４２は表示板５０に向けて付勢されている。
【００２９】
ここで、従動軸４２のフランジ４２ｂの大径部の径は、表示板５０の円筒形ガイド５５の内径にほぼ等しいため、付勢された従動軸４２の表示板支持体２０側の端部は、表示板５０のガイド５５内に収容される。
また従動軸４２の緊急開錠部４２ｄの径は、表示板５０の円窓５３の径にほぼ等しいため、緊急開錠部４２ｄは円窓５３を挿通し、表示カバー２５の表示窓２７に臨んでいる。
【００３０】
さらに、コイルスプリング６０の付勢により、従動軸４２の表示板支持体２０側の端部は、収納部２２内において表示板５０の裏面に押し当てられる。
ここで、表示板５０の円窓５３の周縁に沿って並列する凹部５４と、従動軸４２の緊急開錠部４２ｄの外周に沿って並列する２つの凸部４２ｅとは正対する関係にあるため、図９（ａ）のように、従動軸４２の凸部４２ｅが表示板５０の凹部５４にはまり込むようになっている。
【００３１】
また表示板支持体２０の半円弧状のストッパ２３は、収納部２２の周壁から表示板５０のガイド５５の厚み分だけ内側に配置されており、ストッパ２３と表示板５０のガイド５５の内周に連設された突出部５６とは円周方向に対向するようになっている。
【００３２】
実施形態のスライドラッチ錠１は以上の構成からなる。
図１０（ａ）は、ラッチ３０が開錠位置にきた状態を示し、この開錠位置において、表示板５０の青色の不使用表示部５２が表示窓２７に表示されている。
なお、不使用表示部５２が青色であることを、図では模式的に青の文字で示している。
【００３３】
図１０（ａ）に示す状態からラッチ３０を施錠位置に向けてスライドさせると、ラッチ３０のスライドによる直線運動はラック３１ｂ、ピニオン４３を介して連結軸４０の回転運動に変換され、連結軸４０は回転する。
また、連結軸４０の回転動力は、従動軸４２の凸部４２ｅと表示板５０の凹部５４とのはまり合い（噛み合い）により、表示板５０に確実に伝達され、表示板５０は連結軸４０に連動して回転する。
このため、連結軸４０を０度から１８０度の範囲で回転させると、表示板５０は図１０（ａ）に示す状態から同図（ｂ）、同図（ｃ）へと１８０度回転（半回転）し、赤色の使用表示部５１が表示窓２７に表示される。
なお、使用表示部５１が赤色であることを、図では模式的に赤の文字で示している。
【００３４】
このように、ラッチ３０のスライド開始と同時に表示板５０の回転が開始することとなり、表示板５０が１８０度回転すると、図１０（ｃ）のように表示板５０の突出部５６が収納部２２のストッパ２３の一端に当接する。
そのため、ラッチ３０をさらにスライドさせて連結軸４０を１８０度を超えて回転させようとすると、図９（ｂ）のように、従動軸４２の凸部４２ｅがコイルスプリング６０の付勢に抗して表示体の凹部５４から抜け出て、はまり合いが解除される。
したがって、図１０（ｄ）から（ｅ）のように、表示板５０はそれ以上回転することなく、連結軸４０のみがラッチ３０の施錠位置へのスライド操作が終了するまで（１８０度から３６０度の範囲）空転することになる。
この場合、上記したとおり表示板５０の凹部５４はその周方向の両側面がテーパ状に形成されているため、従動軸４２の凸部４２ｅの凹部５４からの抜け出しがスムーズになっている。
【００３５】
また、図１０（ｅ）のように、施錠位置に保持されたラッチ３０を開錠位置に向けてスライドさせ、連結軸４０を上記と逆向きに回転させると、従動軸４２の凸部４２ｅと表示板５０の凹部５４とが、コイルスプリング６０の付勢により再びはまり合い、表示板５０が連結軸４０に連動して上記と逆方向に回転する。
図１０（ｅ）から（ｄ）を経て（ｃ）へと連結軸４０を１８０度回転させると、表示板５０が１８０度回転（半回転）し、不使用表示部５２が表示窓２７に表示される。
このように、表示板５０が１８０度回転し、その突出部５６が収納部２２のストッパ２３の他端に当接すると、上記と同様の作用で従動軸４２の凸部４２ｅが表示板５０の凹部５４から抜け出る。
したがって、表示板５０と連結軸４０との連動が断たれ、同図（ｂ）から（ａ）へとラッチ３０の開錠位置へのスライド操作が終了するまで連結軸４０は空転し、表示板５０はそれ以上回転しないことになる。
【００３６】
以上のように、連結軸４０の凸部４２ｅと、表示板５０の凹部５４と、コイルスプリング６０とから、連結軸４０と表示板５０とを継断するかみ合い式のクラッチが構成されていることが理解される。
また、表示板５０の半回転、すなわち１８０度の回転角度が、使用表示部５１と不使用表示部５２を切り替えて表示する表示切り替え角度となっており、表示板５０の突出部５６と収納部２２のストッパ２３とが表示板５０の回転角度をこの表示切り替え角度内に規制する角度規制機構を構成していることが理解される。
【００３７】
このように、表示板５０は、ラッチ３０のスライド操作の開始と同時に回転が開始され、かつ正逆方向に半回転だけしか回転しないため、室内の使用状態と不使用状態が明確に判別できるようになっている。
【００３８】
以上が、正常時のスライドラッチ錠１の動作を示している。
一方、スライドラッチ錠１をドアＤに取り付けた状態で、いたずらなどによって外部から衝撃がかかり、連結軸４０や表示板５０の組み込み位置が若干ずれることがある。
そのようになると、従動軸４２の表示板支持体２０側の端部が表示板５０の裏面に正常に押し当てられず、したがって凸部４２ｅと凹部５４がうまくはまり合わず、クラッチが故障した状態となる。
以下、クラッチが故障した状態について、図１１を参照して説明する。
【００３９】
図１１（ａ）は、ラッチ３０が開錠位置に配置された状態を示し、その開錠位置において、表示板５０の不使用表示部５２が表示窓２７に表示されている。
図１１（ａ）に示す状態からラッチ３０を閉止位置に向けてスライドさせると、連結軸４０がこれに連動して回転する。
しかし、図１０の場合と異なり、クラッチがかみ合っていないため、表示板５０は回転せず、図１１（ｂ）から（ｃ）のように連結軸４０だけが１８０度空転する。
【００４０】
ここで、図１１（ｃ）のように、連結軸４０の回転が１８０度を超えようとすると、従動軸４２のフランジ４２ｂのツメ４２ｃが表示板５０の受け部５６に係合する。
そのため、連結軸４０の回転が１８０度を超えると、同図（ｄ）から（ｅ）のように、表示板５０はその受け部５６がツメ４２ｃに押されて、連結軸４０に連動して回転を開始し、連結軸４０が３６０度回転すると、同図（ｅ）のように、表示板５０は１８０度回転してその使用表示部５１が表示窓２７に表示されることになる。
【００４１】
一方、図１１（ｅ）からラッチ３０を開錠位置に向けてスライドさせ、連結軸４０を上記と逆方向に回転させると、連結軸４０は同図（ｄ）から（ｃ）へとまず１８０度空転する。
ついで従動軸４２のフランジ４２ｂのツメ４２ｃが表示板５０の受け部５６に係合することで、連結軸４０の同図（ｃ）から（ｂ）を経て（ａ）への１８０度から３６０度の範囲で、表示板５０は連結軸４０に連動して上記と逆方向に１８０度回転し、不使用表示部５２が表示窓２７に表示される。
【００４２】
このように、クラッチがかみ合わない場合にも、従動軸４２の回転伝達部としてのツメ４２ｃと、表示板５０の受け部としての突出部５６との係合により補助回転機構が作動し、表示板５０が連結軸４０によって強制的に回転させられて、その使用表示部５１と不使用表示部５２とを切り替え表示することが可能となる。
しかも、表示板５０は正逆方向に半回転だけしか回転しないため、使用表示部５１と不使用表示部５２とが一方向に複数回切り替わることがなく、室内の使用状態と不使用状態が明確に判別できるようになっている。
【００４３】
なお、何らかの理由で室内側からの解錠ができない緊急時においては、緊急開錠部４２ｄのドライバ溝にドライバなどを係合させて、連結軸４０を回転させ、これによりラッチ３０を室外側からスライドさせることができる。
したがって、この場合でも、室外側からスライドラッチ錠１を開錠操作することができるようになっている。
【００４４】
ここで連結軸４０と表示板５０との間に構成されるクラッチは、実施形態に限定されない。
たとえば、連結軸４０側に凹部を、表示板５０側に凸部を設けてもよいし、連結軸４０と表示板５０にかみ合い可能なツメ状物をそれぞれ設けてもよい。
また、クラッチの位置も実施形態に限定されず、たとえば、連結軸４０にフランジを設けてその周縁部に凸部を設け、これに対応して表示板５０の周縁部に凹部を設けてもよい。
さらに、クラッチの種類も限定されず、たとえば特許文献１のように、連結軸４０の表示板支持体側の端部を表示板５０の裏面に直接または摩擦抵抗が大きいゴムなどを介して押し当て、その摩擦力により連動させる摩擦クラッチとしてもよい。
【００４５】
表示板支持体２０のストッパ２３は、表示板５０を表示切り替え角度に規制する角度規制機構として機能するものであれば実施形態に限定されない。
たとえば、切り替え表示角度の上下限において、表示板５０の突出部５６にそれぞれ当接する２つのストッパ２３を別々に設けてもよい。
【００４６】
また、実施形態ではクラッチを内側に、角度規制機構を外側に形成しているが、クラッチを外側に角度規制機構を内側に形成してもよい。
さらに、角度規制機構の構造は、実施形態に限定されず、たとえば特許文献１のように、表示板５０の表面に表示カバー２５の表示窓２７にはまり込む突起を形成し、表示板５０が回転すると、この突起が表示窓２７の左右縁部に係合することで、回転角度を規制するようにしてもよい。
【００４７】
さらに実施形態では、連結軸４０のツメ４２ｃを受ける補助回転機構としての受け部が、角度規制機構としての突出部５６の役割も兼ねており、これによって構造が簡略化されているが、受け部とは別体に突出部を設けてもよい。
また、補助回転機構は、実施形態では連結軸４０の回転角度が表示板５０の表示切り替え角度を超えた場合に作動するように構成しているが、表示切り替え角度内において作動するように構成してもよい。
補助回転機構は、実施形態の構造に限定されず、クラッチが故障した場合に、従動軸が回転すると、その表示板支持体側の端部と表示板の裏面側とが何らかの形で係合、当接し、これにより表示板が連動する構造であればよい。
【００４８】
ラッチ３０と連結軸４０が連動する機構は、実施形態に限定されず、たとえば間に適宜ギアを介在させてもよい。
【図面の簡単な説明】
【００４９】
【図１】スライドラッチ錠の横断面図
【図２】図１のII−II断面図
【図３】スライドラッチ錠の斜視図
【図４】スライドラッチ錠の分解斜視図
【図５】スライドラッチ錠の斜視図
【図６】スライドラッチ錠の分解斜視図
【図７】スライドラッチ錠の一部分解斜視図
【図８】スライドラッチ錠の一部分解斜視図
【図９】スライドラッチ錠の要部拡大断面図
【図１０】正常時のスライドラッチ錠の動作を示す図
【図１１】クラッチ故障時のスライドラッチ錠の動作を示す図
【符号の説明】
【００５０】
Ｄ  ドア
Ｐ  壁パネル
１  スライドラッチ錠
１０  ラッチ支持体
１１  ボルト
１２  案内溝
２０  表示板支持体
２１  ねじ筒
２２  収納部
２３  ストッパ
２４  軸孔
２５  表示カバー
２６  引手
２７  表示窓
３０  ラッチ
３１  ラッチ本体
３１ａ  長孔
３１ｂ  ラック
３１ｃ  押圧部
３１ｄ  突片
３２  ラッチカバー
３２ａ  係合片
３２ｂ  嵌合部
４０  連結軸
４１  原動軸
４１ａ  角軸部
４２  従動軸
４２ａ  角穴
４２ｂ  フランジ
４２ｃ  ツメ
４２ｄ  緊急開錠部
４２ｅ  凸部
４３  ピニオン
５０  表示板
５１  使用表示部
５２  不使用表示部
５３  円窓
５４  凹部
５５  ガイド
５６  受け部（突出部）
６０  コイルスプリング
【図１】
0004960895.tif 000002
【図２】
0004960895.tif 000003
【図３】
0004960895.tif 000004
【図４】
0004960895.tif 000005
【図５】
0004960895.tif 000006
【図６】
0004960895.tif 000007
【図７】
0004960895.tif 000008
【図８】
0004960895.tif 000009
【図９】
0004960895.tif 000010
【図１０】
0004960895.tif 000011
【図１１】
0004960895.tif 000012